【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
第１および第２の電極の間に発生するアーク放電によって発光する放電灯を駆動する駆動装置であって、
前記第１および第２の電極に交番電流を供給する点灯回路と、
前記点灯回路から供給される交番電流を制御する電流制御部と、
前記第１および第２の電極における表面形状の変形を検知する変形検知部と、
前記変形検知部によって前記表面形状の変形が検知された場合、前記電流制御部によって制御される交番電流を変調させる電流変調部と、
前記電流変調部によって前記交番電流を変調させている間に、前記変形検知部によって前記表面形状の変形が検知された場合、前記電流変調部が前記交番電流を変調させる変調比率を増加させる変調増強部と、
前記第１および第２の電極における劣化の進行状況を検知する劣化検知部と、
前記進行検知部によって検知された劣化の進行状況に応じて、前記変調増強部による前記変調比率の増加を抑制する変調抑制部と
を備える駆動装置。
【請求項２】
請求項１に記載の駆動装置であって、
前記第１および第２の電極における各電極は、
他方の電極に向けて延びた棒状の軸部と、
前記他方の電極に対向する前記軸部の先端に形成され、前記軸部よりも大きな径を有する塊状部と、
前記他方の電極に近接して前記塊状部に形成され、前記他方の電極に向けて突出する突起部と
を備え、
前記変形検知部は、前記第１および第２の電極における前記突起部の表面に形成された該突起部よりも小さな凹凸による変形を、前記表面形状の変形として検知し、
前記電流変調部は、前記電流制御部によって制御される交番電流を変調させることによって、前記第１および第２の電極の少なくとも一方における前記突起部に形成された凹凸を溶融させる、駆動装置。
【請求項３】
請求項１または請求項２に記載の駆動装置であって、更に、前記電流変調部によって前記交番電流を変調させている間に、前記変形検知部によって前記表面形状の変形が検知されない場合、前記電流変調部によって変調された交番電流を元に戻す電流復調部を備える駆動装置。
【請求項４】
請求項１ないし請求項３のいずれかに記載の駆動装置であって、前記電流変調部は、前記第１および第２の電極における一方の電極が陽極として動作する陽極期間中に該電極に供給される電力エネルギを増加させる第１の変調部を含む駆動装置。
【請求項５】
請求項４に記載の駆動装置であって、前記第１の変調部は、前記一方の電極が陽極として動作する陽極期間の延長、前記陽極期間中に前記一方の電極に供給される電流値の増加のうち少なくとも一方を実行することによって、前記一方の電極に供給される電力エネルギを増加させる駆動装置。
【請求項６】
請求項１ないし請求項５のいずれかに記載の駆動装置であって、前記電流変調部は、前記第１および第２の電極における一方の電極が陽極として動作する陽極期間中に該電極に供給される電力エネルギを該陽極期間の後半に偏在させる第２の変調部を含む駆動装置。
【請求項７】
請求項１ないし請求項６のいずれかに記載の駆動装置であって、前記電流制御部は、前記第１および第２の電極がそれぞれ陽極として動作する陽極期間の比率である陽極デューティ比を上下に繰り返し変動させると共に、該陽極デューティ比の上下の切り替わりに同期して、前記交番電流の極性を交互に切り替える極性切替周期を伸縮させることによって、前記点灯回路から供給される交番電流を制御する駆動装置。
【請求項８】
光を放出する光源装置であって、
第１および第２の電極の間に発生するアーク放電によって発光する放電灯と、
前記第１および第２の電極に交番電流を供給する点灯回路と、
前記点灯回路から供給される交番電流を制御する電流制御部と、
前記第１および第２の電極における表面形状の変形を検知する変形検知部と、
前記変形検知部によって前記表面形状の変形が検知された場合、前記電流制御部によって制御される交番電流を変調させる電流変調部と、
前記電流変調部によって前記交番電流を変調させている間に、前記変形検知部によって前記表面形状の変形が検知された場合、前記電流変調部が前記交番電流を変調させる変調比率を増加させる変調増強部と、
前記第１および第２の電極における劣化の進行状況を検知する劣化検知部と、
前記進行検知部によって検知された劣化の進行状況に応じて、前記変調増強部による前記変調比率の増加を抑制する変調抑制部と
を備える光源装置。
【請求項９】
映像を投影するプロジェクタであって、
前記映像を表現する投影光の光源として、第１および第２の電極の間に発生するアーク放電によって発光する放電灯と、
前記第１および第２の電極に交番電流を供給する点灯回路と、
前記点灯回路から供給される交番電流を制御する電流制御部と、
前記第１および第２の電極における表面形状の変形を検知する変形検知部と、
前記変形検知部によって前記表面形状の変形が検知された場合、前記電流制御部によって制御される交番電流を変調させる電流変調部と、
前記電流変調部によって前記交番電流を変調させている間に、前記変形検知部によって前記表面形状の変形が検知された場合、前記電流変調部が前記交番電流を変調させる変調比率を増加させる変調増強部と、
前記第１および第２の電極における劣化の進行状況を検知する劣化検知部と、
前記進行検知部によって検知された劣化の進行状況に応じて、前記変調増強部による前記変調比率の増加を抑制する変調抑制部と
を備えるプロジェクタ。
【請求項１０】
第１および第２の電極の間に発生するアーク放電によって発光する放電灯を駆動する駆動方法であって、
前記第１および第２の電極に交番電流を供給する工程と、
前記第１および第２の電極における表面形状の変形を検知する工程と、
前記表面形状の変形を検知した場合、前記第１および第２の電極に供給される交番電流を変調させる工程と、
前記交番電流を変調させている間に、前記表面形状の変形を検知した場合、前記交番電流を変調させる変調比率を増加させる変調増強工程と、
前記第１および第２の電極における劣化の進行状況を検知する劣化検知工程と、
前記劣化検知工程によって検知された劣化の進行状況に応じて、前記変調増強工程による前記変調比率の増加を抑制する工程と
を備える駆動方法。
【手続補正２】
【補正対象書類名】明細書
【補正対象項目名】０００７
【補正方法】変更
【補正の内容】
【０００７】
本発明は、上述の課題の少なくとも一部を解決するためになされたものであり、以下の形態または適用例として実現することが可能である。
第１形態の駆動装置は、第１および第２の電極の間に発生するアーク放電によって発光する放電灯を駆動する駆動装置であって、
前記第１および第２の電極に交番電流を供給する点灯回路と、
前記点灯回路から供給される交番電流を制御する電流制御部と、
前記第１および第２の電極における表面形状の変形を検知する変形検知部と、
前記変形検知部によって前記表面形状の変形が検知された場合、前記電流制御部によって制御される交番電流を変調させる電流変調部と、
前記電流変調部によって前記交番電流を変調させている間に、前記変形検知部によって前記表面形状の変形が検知された場合、前記電流変調部が前記交番電流を変調させる変調比率を増加させる変調増強部と、
前記第１および第２の電極における劣化の進行状況を検知する劣化検知部と、
前記進行検知部によって検知された劣化の進行状況に応じて、前記変調増強部による前記変調比率の増加を抑制する変調抑制部とを備えることを特徴とする。